(57)【要約】      （修正有）【課題】照明機能および一定の警告作用を有し、時刻が比較的遅い雨天の状況における通行人の安全な通行を保証することができ、さらにオーディオラジオの音声による娯楽機能を組み合わせる多機能ステッキ傘を提供する。【解決手段】多機能ステッキ傘は、一定の音声および照明を有し、警告作用を兼ね備え、使用者が傘またはステッキとして使用するとき、ラジオを聴くという音声による娯楽機能を有することができる。該多機能ステッキ傘の主要装置は、傘柄のステッキ型グリップ部２に設けられ、グリップ部２に発光装置およびラジオ信号の音声設備が設けられる。発光装置は照明灯２１１および警告灯２３２を含み、音声設備はラジオ機の電子装置を含み、さらに傘柄に接続する部分にスイッチ２３３ａ、音量制御キー２３３ｃおよびラジオ局選択キー２３３ｂが設けられる。【選択図】図１
0003192105.tif 000002
【実用新案登録請求の範囲】
【請求項１】
傘柄、傘部および石突きを含み、前記傘柄の一端にグリップ部が設けられ、該グリップ部がステッキ頭部の形状であり、このグリップ部が第１端、第２端および接続部を有する多機能ステッキ傘であって、このうち、第１端から第２端が延伸、形成され、さらに第１端および第２端の間が縦方向に突出、延伸し、接続部を形成して傘柄と接続し、該第１端に照明灯が設けられ、該第２端に音声スピーカー装置が設けられ、該接続部に音声制御装置が設けられ、この音声制御装置がスイッチ、音量制御キーおよび選局キーと警報音電子経路を含み、接続部の一端に警告灯が設けられ、さらに第１端および第２端の間に、照明灯および警告灯のスイッチ制御キーが設けられ、該スイッチ制御キーが照明灯および警告灯および警報音の作動および停止状態の切換を制御することができ、さらに第１端および第２端と接続部の間の収容部に、ラジオ装置および蓄電装置が設けられ、該ラジオ装置の電子端のオーディオ出力源が第２端のスピーカー装置と接続して音声が出力され、その電子制御端が音声制御装置に接続される、多機能ステッキ傘。
【請求項２】
該接続部に電源ジャックが設けられ、該電源ジャックの電子端が蓄電装置と接続する、請求項１に記載の多機能ステッキ傘。
【請求項３】
該石突きが弾性を有するソフトプラスチック材質であり、この石突きが緩衝部および支持部を有し、該緩衝部の一端が傘部と接続し、その別の一端から支持部が延伸、形成され、該支持部に環状溝が設けられる、請求項１に記載の多機能ステッキ傘。
【請求項４】
該接続部および第１端、第２端の間に、１個以上のＵＳＢスロットが設けられ、該ＵＳＢスロットにＭＰ３などの音楽電子機器が接続される、請求項１に記載の多機能ステッキ傘。
【請求項５】
該ＵＳＢスロットがグリップ部のどの端部にも設けることができる、請求項１に記載の多機能ステッキ傘。
【請求項６】
該ＵＳＢスロットの電子端を音声制御装置に連結する、請求項１に記載の多機能ステッキ傘。
【請求項７】
傘柄、傘部および石突きを含み、前記傘柄の一端にグリップ部が設けられ、該グリップ部がステッキ頭部の形状であり、このグリップ部が第１端、第２端および接続部を有する多機能ステッキ傘であって、このうち、第１端から第２端が延伸、形成され、さらに第１端および第２端の間から縦方向に突出、延伸し、接続部を形成して傘柄と接続し、該第１端に照明灯が設けられ、該第２端に音声スピーカー装置が設けられ、該接続部に音声制御装置が設けられ、この音声制御装置がスイッチ、音量制御キーおよび選局キーと警報音電子経路を含み、接続部の一端に警告灯が設けられ、さらに第１端および第２端の間に、照明灯および警告灯のスイッチ制御キーが設けられ、該スイッチ制御キーが照明灯および警告灯および警報音の作動および停止状態の切換を制御することができ、さらに第１端および第２端と接続部の間の収容部に、ラジオ装置および蓄電装置が設けられ、該ラジオ装置の電子端のオーディオ出力源が、第２端のスピーカー装置に接続して音声が出力され、その電子制御端が音声制御装置に接続され、さらに接続部および第１端、第２端の間に１個以上のＵＳＢスロットが設けられ、該ＵＳＢスロットにＭＰ３などの音楽電子機器が接続される、多機能ステッキ傘。
【考案の詳細な説明】
【技術分野】
【０００１】
本考案はステッキおよび電子設備を組み合わせた傘の技術分野に関し、特に照明および警告作用と音声による娯楽性を有する多機能ステッキ傘に関する。
【背景技術】
【０００２】
傘は日常生活において必需品であり、雨の日に人々が外出する際に大きな利便性を提供することができる。傘の形態の多様性は高く、ワンタッチ折りたたみ傘、ステッキ傘などがあり、種類は相当多いが、照明機能、警告作用および娯楽性を同時に組み合わせることができる傘は存在していない。
【考案の概要】
【考案が解決しようとする課題】
【０００３】
本考案が解決しようとする技術的問題は、多機能を有するステッキ傘を提供することであり、これは照明機能および一定の警告作用を有し、時刻が比較的遅い雨天の状況における通行人の安全な通行を保証することができ、さらにオーディオラジオの音声による娯楽機能を組み合わせる。
【課題を解決するための手段】
【０００４】
上記技術的問題を解決するための、本考案の技術案は次の通りである。多機能ステッキ傘は傘柄、グリップ部、傘部および石突きを含み、前記傘柄の一端にグリップ部が設けられ、そのグリップ部は第１端、第２端および接続部を有する。その第１端に照明灯が設けられ、その第２端に音声スピーカー装置が設けられ、該接続部に音声制御装置および音量制御キーおよびラジオ局選択キーと警告灯が設けられる。さらに第１端および第２端の間に、照明灯および警告灯のスイッチ制御キーが設けられ、該スイッチ制御キーは照明灯および警告灯の作動または停止状態を制御することができる。
【考案の効果】
【０００５】
上記技術案の採用による、本考案の有益な効果は次の通りである。傘柄のグリップ部に１つの照明灯および１つの警告灯を同時に設置することにより、使用者は夜、薄暗い環境または雨天の環境において、照明灯および警告灯を点けることができ、照明作用および安全警告の機能を達成する。使用者が前方の道路をはっきりと確認することができるだけでなく、前方もしくは後方の通行人または走行している車両が使用者に注意を向けやすくすることができる。さらに、警告灯の作動時に警告音も出す機能を増加し、緊急の状況下で大音量を出し、注目を集めて危険を解消する。さらにラジオ装置を設置し、ステッキ傘に娯楽機能を持たせる。
【図面の簡単な説明】
【０００６】
【図１】図１は、本考案のグリップ部の拡大立体図である。
【図２】図２は、本考案の組合せ配置図である。
【図２−１】図２−１は、本考案の石突きの拡大図である。
【考案を実施するための形態】
【実施例】
【０００７】
まず、図１および図２を参照されたい。図１および図２に示すように、本考案の多機能ステッキ傘は、傘柄１、グリップ部２、傘部１１および石突き１２を含み、前記傘柄１の一端にグリップ部２が設けられる。該グリップ部２はステッキ頭部の形状であり、このグリップ部２は第１端２１、第２端２２および接続部２３を有する。このうち、第１端２１から第２端２２が延伸、形成され、さらに第１端２１および第２端２２の間から延伸し、接続部２３が縦方向に突出、形成される。言い換えると、前記第１端２１および第２端２２は水平方向に握る形状を形成し、接続部２３は水平方向の第１端２１および第２端２２の中間部分から、縦方向に突出、延伸して傘柄１と接続する。
【０００８】
該第１端２１に照明灯２１１が設けられ、該第２端２２に音声スピーカー装置２２１が設けられ、該接続部２３に音声制御装置２３３が設けられる。音声制御装置２３３は、スイッチ２３３ａ、音量制御キー２３３ｃおよび選局キー２３３ｂと警報音電子経路（図示せず）を含み、接続部２３の一端に警告灯２３２が設けられる。第１端２１および第２端２２の間に、照明灯２１１および警告灯２３２のスイッチ制御キー２４が設けられ、該警報音電子経路は音声スピーカー装置２２１に接続され、警報音が出る。該スイッチ制御キー２４は、照明灯２１１および警告灯２３２および警報音の作動または停止状態を制御することができる。
【０００９】
さらに、第１端２１、第２端２２および接続部２３の連結部分に空洞の収容部（図示せず）を有し、収容部にラジオ装置および蓄電装置が設けられる（図示せず）。該ラジオ装置の電子端のオーディオ出力源は、第２端２２のスピーカー装置２２１に接続して音声が出力され、その電子制御端は音声制御装置２３３に接続される。さらに、接続部２３および第１端２１、第２端２２の間に、１個以上のＵＳＢスロット２５が設けられ、該ＵＳＢスロット２５にＭＰ３などの音楽電子機器が接続される。言い換えると、これは外部から音楽音源を入力する機能装置を別に有しており、使用者は電子音楽機器を外部接続したい状況において、該ＵＳＢスロット２５に接続することにより操作を完成し、該ＵＳＢスロット２５の電子端を音声制御装置２３３に連結する。該ＵＳＢスロット２５は、グリップ部２のどの端部にも設けることができる。
【００１０】
本考案の操作方式に関して、使用者はスイッチ制御キー２４を操作して３種類のパターンを選択することができる。すなわち、１種類目は照明灯２１１の作動であり、２種類目は照明灯２１１および警告灯２３２の同時作動であり、３種類目は警報音の作動である。さらに、使用者は音声制御装置２３３を操作することにより、ラジオ局、音量と電源の作動および停止の選択を行うことができ、スイッチ２３３ａを押すことにより始動させる。選局キー２３３ｂは第１キーＡおよび第２キーＢに分けられ、操作者が第１キーＡを１回押すごとに、自動でより高いチャンネルに移動し、信号を有するラジオ局を選択することができ、反対に、第２キーＢを１回押すごとに、自動でより低いチャンネルに移動し、信号を有するラジオ局を選択することができる。使用者は断続して押し続けることにより、聴きたいラジオ局を見つける。
【００１１】
上記を受け、該音量制御キー２３３ｃは上キー△および下キー▽に分けられ、上キー△を押すことにより、音量は次第に大きくなり、反対に、下キー▽を押すと、音量は次第に小さくなる。さらにスピーカー装置２２１は、ラジオ装置の音声出力および警告音の出力機能を提供する。さらに、接続部２３に電源ジャック２３１が設けられ、該電源ジャック２３１の電子端は蓄電装置と接続し、使用者は電源プラグの入力端子により電源ジャック２３１に挿入することができる。該電源プラグをさらに電源供給ソケットに挿入し、入力電力が接続部２３内に設けられた蓄電装置に提供される。これにより、蓄電装置は後日電力をラジオ装置、照明灯２１１、警告灯２３２およびスピーカー装置２２１に提供することができる。
【００１２】
続いて、図２および図２−１を参照されたい。図２および図２−１に示すように、本考案の傘柄１は傘部１１および石突き１２と接続する。このうち石突き１２は弾性を有するソフトプラスチック材質であり、この石突き１２は緩衝部１２１および支持部１２２を有する。該緩衝部１２１の一端は傘部１１と接続し、別の一端から支持部１２２が延伸、形成される。該支持部１２２に環状溝１２２ａが設けられ、この環状溝１２２ａを設置することにより、緩衝部１２１はステッキ傘が地面に接触するときの反作用力を適度に開放することができる。
【００１３】
上記技術案の採用による、本考案の有益な効果は次の通りである。傘柄１のグリップ部２に、１つの照明灯２１１および１つの警告灯２３２を同時に設置することにより、使用者は夜、薄暗い環境または雨天の環境において、照明灯２１１および警告灯２３２を同時に使用することができ、照明作用および安全警告の機能を達成する。使用者が前方の道路をはっきりと確認することができるだけでなく、前方もしくは後方の通行人または走行している車両が使用者に注意を向けやすくすることができる。さらに警告灯２３２の作動時に警報音も出す機能を増加し、緊急の状況下で大音量を出し、注目を集めて危険を解消する。本考案はラジオ装置を設置しており、ステッキ傘は単純に支えたり雨を遮ったりする機能だけでなく、豊富な娯楽性および助けを求める機能を有する。
【００１４】
以上の記載は、本考案の好ましい実施例に過ぎず、本考案の実施範囲を限定するものではない。本考案で出願する実用新案登録請求の範囲に基づいて行われる同等な変化および修飾は、いずれも本考案の実用新案登録請求の範囲に包含されるものである。
【符号の説明】
【００１５】
１  傘柄
１１  傘部
１２  石突き
１２１  緩衝部
１２２  支持部
１２２ａ  環状溝
２  グリップ部
２１  第１端
２１１  照明灯
２２  第２端
２２１  スピーカー装置
２３  接続部
２３１  電源ジャック
２３２  警告灯
２３３  制御装置
２３３ａ  スイッチ
２３３ｂ  選局キー
２３３ｃ  音量キー
２４  スイッチ制御キー
２５  ＵＳＢスロット
Ａ  第１キー
Ｂ  第２キー
【図１】
0003192105.tif 000003
【図２】
0003192105.tif 000004
【図２−１】
0003192105.tif 000005
【手続補正書】
【提出日】平成26年6月3日(2014.6.3)
【手続補正１】
【補正対象書類名】実用新案登録請求の範囲
【補正対象項目名】請求項５
【補正方法】変更
【補正の内容】
【請求項５】
該ＵＳＢスロットがグリップ部のどの端部にも設けることができる、請求項４に記載の多機能ステッキ傘。
【手続補正２】
【補正対象書類名】実用新案登録請求の範囲
【補正対象項目名】請求項６
【補正方法】変更
【補正の内容】
【請求項６】
該ＵＳＢスロットの電子端を音声制御装置に連結する、請求項４に記載の多機能ステッキ傘。